(57)【要約】      （修正有）【課題】小型で、携帯可能な血液透析装置を提供する。【解決手段】血液透析装置は、外殻１、外殻１内に多機能ポンプ２、透析器３及び逆浸透膜フィルター８、外殻１の中下部に電源、及び廃液袋５を備える。液体注入管１８が透析器３の液体注入口に接続され、透析器３の廃液出口が、廃液管７により逆浸透膜フィルター８の液体注入口と接続される。濾液管１２が、逆浸透膜フィルター８の濾液出口と、透析器３の液体注入口と透析器３の中上部とをそれぞれバルブ１６、１７を介して接続する。逆浸透膜フィルター８の液体排出口及び透析器３の下部が廃液袋５に接続される。多機能ポンプ２は、液体注入管１８、廃液管７及び濾液管１２に対して設けられる。液体注入管１８と、逆浸透膜フィルター８の液体注入口、液体排出口及び濾液出口にあるカテーテルとに各々電極が設けられ、これらの電極がマイクロコンピュータプロセッサに接続される。【選択図】図１
0003178785.tif 000002
【実用新案登録請求の範囲】
【請求項１】
外殻、多機能ポンプ、透析器、逆浸透膜フィルター、電源、廃液袋及びカテーテルを備え、外殻における透析器の廃液出口が、廃液管により一つの逆浸透膜フィルター液体注入口と接続され、逆浸透膜フィルターの液体排出口が一つの廃液袋と接続され、逆浸透膜フィルターの濾液出口が、濾液管により透析器の液体排出口にあるカテーテルと接続され、透析器の液体注入口による液体注入管が、透析器の廃液出口と逆浸透膜フィルター液体注入口における廃液管に接続され、逆浸透膜フィルター濾液出口と透析器の液体排出口による濾液管に接続され、全部で多機能ポンプが設けられ、透析器液体注入口にある液体注入管において血尿素濃度を測定するための電極が設けられ、この電極が、一つのマイクロコンピュータプロセッサと接続され、且つこのマイクロコンピュータプロセッサが、一つのマイクロコンピュータコントロール・バルブと接続され、このマイクロコンピュータコントロール・バルブが、逆浸透膜フィルターの液体排出口にあるカテーテルに設置されるとともに、このマイクロコンピュータプロセッサが、メモリカードに接続されることを特徴とする連続稼働且つ携帯用可能な血液透析装置。
【請求項２】
前述逆浸透膜フィルターの液体注入口、液体排出口及び濾液出口にあるカテーテルにおいて、全部で流量を測定するための電極が設けられ、且つこの三つの電極が、全部で一つのマイクロコンピュータプロセッサと接続され、また、このマイクロコンピュータプロセッサが、メモリカードに接続されることを特徴とする請求項１に記載の連続稼働且つ携帯用可能な血液透析装置。
【請求項３】
前述電源が、二つの充電式バッテリー可能であり、並列接続にて電気エネルギーを前述血液透析装置のために提供することを特徴とする請求項２に記載の連続稼働且つ携帯用可能な血液透析装置。
【請求項４】
前述多機能ポンプが、一つの軸流多機能ポンプであり、この多機能ポンプが、一つの軸には二つのインペラが設けられるものであり、
その中の一つのインペラが、同時に、透析器液体注入口にあるカテーテルと透析器の液体排出口と逆浸透膜フィルター液体注入口における廃液管が接続される液体を加圧させるために、他の一つのインペラが、逆浸透膜フィルター濾液出口と透析器の液体排出口による濾液管が接続される液体を加圧させるためのことを特徴とする請求項１或いは２に記載の連続稼働且つ携帯用可能な血液透析装置。
【請求項５】
前述透析器と逆浸透膜フィルターが、それぞれ殻体における両側のパイプラインに設置され、他の部品が、両側のパイプラインの間に設置されることを特徴とする請求項１或いは２に記載の連続稼働且つ携帯用可能な血液透析装置。
【請求項６】
外殻にはバンド接続装置が設置され、血液透析装置を患者の右側胸部に固定され、右側の血液カテーテルと接続されることを特徴とする請求項１に記載の連続稼働且つ携帯用可能な血液透析装置。
【請求項７】
前述逆浸透膜フィルターの濾液における２０−３０％が、濾液管により透析器の液体注入口と接続され、また、濾液管と透析器の液体注入口によるパイプラインにはバルブが設置され、血液を希釈するように、血液が透析器において粘結を回避させることを特徴とする請求項１に記載の連続稼働且つ携帯用可能な血液透析装置。
【請求項８】
前述逆浸透膜フィルターの濾液出口における濾液管が、さらに、透析器透析室の中上部に接続され、濾液管と透析器中部に接続されるパイプラインにはバルブが設置され、必要な時に濾液を透析場合の透析液として用いされるようものことを特徴とする請求項１に記載の連続稼働且つ携帯用可能な血液透析装置。
【請求項９】
前述逆浸透膜フィルターの濾液出口において、必要な時に塩化ナトリウムと重炭酸ナトリウムを補充する装置に用いられるが設置されることを特徴とする請求項１に記載の連続稼働且つ携帯用可能な血液透析装置。
【請求項１０】
前述外殻において、二つの警告灯が設置され、ひとつの警告透析器の血流量が低過ぎ、一方の警告バッテリーの電量が不足することを特徴とする請求項１に記載の連続稼働且つ携帯用可能な血液透析装置。
【考案の詳細な説明】
【技術分野】
【０００１】
本考案は医療機械の領域に関し、具体的に、連続稼働且つ携帯用可能な血液透析装置である。
【背景技術】
【０００２】
人間の腎臓には各種の肝心な機能があり、人体における多余の水分、電解質と代謝副生物を排除するを備える。腎臓の機能が衰弱すると、患者が、次のような腎臓の代わり治療が行われる必要があり、そうしないと、生命の危険がある。
【０００３】
腎移植、しかし、腎源の制限を受けて、患者が、同時に、より高い免疫抑制療法が行われる必要があり、この療法にはたくさん副作用があり、そして、定期観察必要がある。腎移植が、また、各種の禁忌現象がある。
【０００４】
腹膜透析、この療法が、大量なより高い輸液と他のディスポーザブル医療機械が必要がある。その外には、この療法が、多種の症候群があり、腹膜の効果が、時間の推移に従って、著しい減少するようになった、同時に、患者が、毎日液の変更が行われる必要がある。
【０００５】
そこで、大量の腎不全晩期の患者が、全部で常規の血液透析治療が行われ、この療法が、大量の看護婦、大量のより高い液とディスポーザブル医療機械が必要がある。また、患者が、毎週には三つの血液透析が行われる必要があり、毎度の治療場合には、二つの大きい針を患者の体の上に挿入させ、この治療も多種の症候群がある。患者が、さらに、同時に、血液透析と透析治療が行われ、でも、たくさんより高い液体とディスポーザブル医療機械必要がある。
【０００６】
本実用新型は、腎不全患者の医療費用を低下させ、患者への不便と苦痛を減少させる可能である。
【考案の概要】
【０００７】
本実用新型が解決しようとする目的は、外観が小型で、携帯用可能で、また、自体が透析によって液の代わる血液透析装置を発生させるを提供することである。
【課題を解決するための手段】
【０００８】
前述本実用新型の目的の技術形態は、次のように、
血液透析装置は、外殻、多機能ポンプ、透析器、逆浸透膜フィルター、電源、廃液袋及びカテーテルを備え、外殻における透析器の廃液出口が、廃液管により一つの逆浸透膜フィルター液体注入口と接続され、逆浸透膜フィルターの液体排出口が一つの廃液袋と接続され、逆浸透膜フィルターの濾液出口が、濾液管により透析器の液体排出口にあるカテーテルと接続され、透析器の液体注入口による液体注入管が、透析器の廃液出口と逆浸透膜フィルター液体注入口における廃液管に接続され、逆浸透膜フィルター濾液出口と透析器の液体排出口による濾液管に接続され、全部で多機能ポンプが設けられ、透析器液体注入口にある液体注入管において血尿素濃度を測定するための電極が設けられ、この電極が、一つのマイクロコンピュータプロセッサと接続され、且つこのマイクロコンピュータプロセッサが、一つのマイクロコンピュータコントロール・バルブと接続され、このマイクロコンピュータコントロール・バルブが、逆浸透膜フィルターの液体排出口にあるカテーテルに設置されるとともに、このマイクロコンピュータプロセッサが、メモリカードに接続される。
【０００９】
前述逆浸透膜フィルターの液体注入口、液体排出口及び濾液出口にあるカテーテルにおいて、全部で流量を測定するための電極が設けられ、且つこの三つの電極が、全部で一つのマイクロコンピュータプロセッサと接続され、また、このマイクロコンピュータプロセッサが、メモリカードに接続される。
前述電源が、二つの充電式バッテリー可能であり、並列接続にて電気エネルギーを前述血液透析装置のために提供するする。
【００１０】
前述多機能ポンプが、一つの軸流多機能ポンプであり、この多機能ポンプが、一つの軸には二つのインペラが設けられるものであり、
その中の一つのインペラが、同時に、透析器液体注入口にあるカテーテルと透析器の液体排出口と逆浸透膜フィルター液体注入口における廃液管が接続される液体を加圧させるために、他の一つのインペラが、逆浸透膜フィルター濾液出口と透析器の液体排出口による濾液管が接続される液体を加圧させる。
【００１１】
前述電源が、殻体の中下部にあり、透析器と逆浸透膜フィルターが、それぞれ殻体の両側にあり、電源と並列設置される。
【００１２】
前述外殻において、二つの警告灯が設置され、ひとつの警告透析器の血流量が低過ぎ、一方の警告バッテリーの電量が不足する。
【００１３】
前述外殻にはバンド接続装置が設置される。
【００１４】
前述逆浸透膜フィルターの濾液出口における濾液管が、さらに、透析器透析室の中上部に接続され、濾液管と透析器液体注入口に接続されるパイプラインにはバルブが設置される。
【００１５】
前述逆浸透膜フィルターの濾液出口において、塩化ナトリウムと重炭酸ナトリウムを補充する装置に用いられるが設置される。
【００１６】
本実用新型は、構成が簡単で、外見が小型で、バンドにより患者の体に固定され、携帯用可能で、電源警告灯が電量を表示すると、やがて電源を変更し、電源が二つのバッテリーにより並列供電されるので、バッテリーを変更する場合には、透析器への影響の正常作業をしなくて、透析器を連続には稼働させる。透析器によってフィルターされた廃液が、さらに、逆浸透膜フィルターによりフィルターされた後、また、患者の体に戻って、透析液の代わりである。これが、患者の経済的負担を大きいに低下させる。
【図面の簡単な説明】
【００１７】
【図１】本実用新型内部の構成を示す図。
【図２】本実用新型後部のレイアウトを示す図。
【図３】本実用新型内部の主要部分の接続を示す図。
【考案を実施するための形態】
【００１８】
以下に、図面と具体的な実施形態を参照しながら、本実用新型についてさらに説明する。
【００１９】
図１と図２に示すように、血液透析装置は、外殻１、多機能ポンプ２、透析器３、電源４、廃液袋５及びカテーテルを備え、外殻における透析器３の廃液出口が、廃液管７により一つの逆浸透膜フィルター８液体注入口と接続され、逆浸透膜フィルターの液体排出口が一つの廃液袋５と接続され、逆浸透膜フィルター８の濾液出口が、濾液管１２によりそれぞれ透析器の液体注入口及び液体排出口にあるカテーテルと透析器の中上部に接続され、且つ濾液管１２が、透析器の液体注入口と透析器の中上部に接続されるパイプラインにそれぞれバルブ１６、１７が設置される。逆浸透膜フィルター８の濾液出口における濾液管が、さらに、透析器３透析室の中上部に接続され、濾液管と透析器３の中上部に接続されるパイプラインにおいてバルブが設置される。透析器の液体注入口による液体注入管１８が、透析器の廃液出口と逆浸透膜フィルター液体注入口における廃液管に接続され、逆浸透膜フィルター濾液出口と透析器の液体排出口による濾液管に接続され、全部で多機能ポンプ２が設けられ、この多機能ポンプが、一つの軸には二つのインペラが設けられるものであり、その中の一つのインペラが、同時に、透析器液体注入口にあるカテーテルと透析器の液体排出口と逆浸透膜フィルター液体注入口における廃液管が接続される液体を加圧させるために、他の一つのインペラが、逆浸透膜フィルター濾液出口と透析器の液体排出口による濾液管が接続される液体を加圧させる。透析器液体注入口にある液体注入管において血尿素濃度を測定するための電極１９が設けられ、この電極１９が、一つのマイクロコンピュータプロセッサ２０と接続され、且つこのマイクロコンピュータプロセッサ２０が、一つのマイクロコンピュータコントロール・バルブ２１と接続され、このマイクロコンピュータコントロール・バルブが、逆浸透膜フィルターの液体排出口にあるカテーテルに設置されるとともに、このマイクロコンピュータプロセッサ２０が、メモリカード２３に接続される。前述逆浸透膜フィルターの液体注入口、液体排出口及び濾液出口にあるカテーテルにおいて、全部で流量を測定するための電極２４、２５、２６が設けられ、且つこの三つの電極が、全部で一つのマイクロコンピュータプロセッサ２７と接続され、また、このマイクロコンピュータプロセッサ２７が、メモリカード２３に接続される。前述電源４が、二つの充電式バッテリー可能であり、並列接続にて電気エネルギーを前述血液透析装置のために提供する。前述電源が、殻体１の中下部にあり、透析器と逆浸透膜フィルターが、それぞれ殻体の両側にあり、電源と並列設置される。前述外殻において、二つの警告灯２８が設置される。前述外殻にはバンド接続装置２９が設置される。前述逆浸透膜フィルターの濾液出口において、塩化ナトリウムと重炭酸ナトリウムを補充する装置３０に用いられるが設置される。
【００２０】
本実用新型をよく理解するために、次に、本実用新型の働く過程について簡単に説明する。血液が、カテーテルにより血液透析器に入り込んで、フィルターされたきれいな血液を介して体に入り込んで、フィルターされた廃液が、廃液管を介して逆浸透膜フィルターに入り込んで、このフィルターが、廃液をフィルターさせ、フィルターされた廃液が、廃液袋に排入され、きれいな液体が、透析液として濾液管を経由し患者の体に入れ込んで、透析器での血液が、少量の凝集がある場合には、バルブにより濾液の２０−３０％を制御し透析器の液体注入口から透析器に入り込む可能である。透析器の中上部から透析器透析室を透析液として使用し補充する可能であってもよい。透析器の液体注入口による液体注入管内の電極が、尿素濃度を検出するために、そして、情報をマイクロコンピュータプロセッサにフィードバックさせ、マイクロコンピュータプロセッサが、尿素濃度によって逆浸透膜フィルターの液体排出口にあるカテーテルでのマイクロコンピュータプロセッサ・バルブのクローズを制御し、これにより、人間の体に入り込む濾液量を制御するとともに、情報をメモリカードに記憶させる。逆浸透膜フィルターの液体注入口、液体排出口及び濾液出口にあるカテーテルにおいて、全部で流量を測定するための電極２４、２５、２６が設けられ、三つのカテーテルでの液体流量を検出し、マイクロコンピュータプロセッサ２７により情報をメモリカードに記憶させる。患者が、いつも病院へ検査する必要がなく、一月或いは二月さらに何か月だけ病院へ行って、医者が、メモリカードにおける情報によって患者への再検査が行われる。必要がある場合には、さらに濾液管１２にある装置３０により患者に塩化ナトリウムと重炭酸ナトリウムを補充してもよい。患者が、バンドで外殻におけるバンド接続装置により、透析器を患者の右側胸部或るいは他の適当的な箇所に固定させる。
【図１】
0003178785.tif 000003
【図２】
0003178785.tif 000004
【図３】
0003178785.tif 000005
【手続補正書】
【提出日】平成24年7月31日(2012.7.31)
【手続補正１】
【補正対象書類名】実用新案登録請求の範囲
【補正対象項目名】全文
【補正方法】変更
【補正の内容】
【実用新案登録請求の範囲】
【請求項１】
外殻、多機能ポンプ、透析器、逆浸透膜フィルター、電源、廃液袋及びカテーテルを備え、外殻における透析器の廃液出口が、廃液管により一つの逆浸透膜フィルターの液体注入口と接続され、逆浸透膜フィルターの液体排出口が一つの廃液袋と接続され、逆浸透膜フィルターの濾液出口が、濾液管により透析器の液体排出口にあるカテーテルと接続され、透析器の液体注入口にある液体注入管が、透析器の廃液出口と逆浸透膜フィルターの液体注入口における廃液管に接続され、逆浸透膜フィルターの濾液出口と透析器の液体排出口による濾液管に接続され、前記液体注入管、前記廃液管、及び前記濾液管に対して多機能ポンプが設けられ、透析器の液体注入口にある液体注入管において血尿素濃度を測定するための電極が設けられ、この電極が、一つのマイクロコンピュータプロセッサと接続され、且つこのマイクロコンピュータプロセッサが、一つのマイクロコンピュータコントロール・バルブと接続され、このマイクロコンピュータコントロール・バルブが、逆浸透膜フィルターの液体排出口にあるカテーテルに設置されるとともに、このマイクロコンピュータプロセッサが、メモリカードに接続されることを特徴とする携帯用血液透析装置。
【請求項２】
前述逆浸透膜フィルターの液体注入口、液体排出口及び濾液出口にあるカテーテルの全てにおいて、流量を測定するための電極が設けられ、且つこの三つの電極が一つのマイクロコンピュータプロセッサと接続され、また、このマイクロコンピュータプロセッサが、メモリカードに接続されることを特徴とする請求項１に記載の携帯用血液透析装置。
【請求項３】
前述電源が、二つの充電式バッテリーであり、並列接続にて電気エネルギーを前述血液透析装置のために提供することを特徴とする請求項２に記載の携帯用血液透析装置。
【請求項４】
前述多機能ポンプが、一つの軸流多機能ポンプであり、この多機能ポンプが、一つの軸には二つのインペラが設けられるものであり、
その中の一つのインペラが、同時に、透析器の液体注入口にあるカテーテル及び透析器の液体排出口と逆浸透膜フィルターの液体注入口とが接続される廃液管における液体を加圧させるために設けられ、他の一つのインペラが、逆浸透膜フィルターの濾液出口と透析器の液体排出口とが接続される濾液管における液体を加圧させるために設けられることを特徴とする請求項１或いは２に記載の携帯用血液透析装置。
【請求項５】
前述透析器と逆浸透膜フィルターが、それぞれ外殻における両側のパイプラインに設置され、他の部品が、両側のパイプラインの間に設置されることを特徴とする請求項１或いは２に記載の携帯用血液透析装置。
【請求項６】
外殻にはバンド接続装置が設置され、血液透析装置を患者の右側胸部に固定され、右側の血液カテーテルと接続されることを特徴とする請求項１に記載の携帯用血液透析装置。
【請求項７】
前述逆浸透膜フィルターは前述濾液管により前述透析器の液体注入口と接続され、また、前述濾液管と前述透析器の液体注入口によるパイプラインにはバルブが設置され、血液を希釈するように前述逆浸透膜フィルターの濾液における２０−３０％を流入させ、血液が前述透析器において粘結することを回避させることを特徴とする請求項１に記載の携帯用血液透析装置。
【請求項８】
前述逆浸透膜フィルターの濾液出口における濾液管が、さらに、透析器透析室の中上部に接続され、濾液管と透析器中部に接続されるパイプラインにはバルブが設置され、透析器の下部に、パイプラインを介して廃液袋に接続される開口が設けられることを特徴とする請求項１に記載の携帯用血液透析装置。
【請求項９】
前述逆浸透膜フィルターの濾液出口において、塩化ナトリウムと重炭酸ナトリウムを補充する装置が設置されることを特徴とする請求項１に記載の携帯用血液透析装置。
【請求項１０】
前述外殻において、二つの電源警告灯が設置されることを特徴とする請求項１に記載の携帯用血液透析装置。
【手続補正２】
【補正対象書類名】明細書
【補正対象項目名】全文
【補正方法】変更
【補正の内容】
【考案の詳細な説明】
【技術分野】
【０００１】
本考案は医療機械の領域に関し、携帯用血液透析装置である。
【背景技術】
【０００２】
人間の腎臓には各種の肝心な機能があり、人体における多余の水分、電解質と代謝副生物を排除する機能を備える。腎臓の機能が衰弱すると、患者が、次のような腎臓の代替的治療が行われる必要があり、そうしないと、生命の危険がある。
【０００３】
腎移植は、しかし、腎源の制限を受けると同時に、患者に対して、より高い免疫抑制療法が行われる必要があり、この療法にはたくさん副作用があり、そして、定期観察の必要がある。腎移植は、また、各種の禁忌現象がある。
【０００４】
腹膜透析、この療法は、大量なより高い輸液と他のディスポーザブル医療機械が必要である。その他には、この療法は、多種の症候群があり、腹膜の効果が、時間の推移に従って、著しく減少するようになった、同時に、患者は、毎日液の変更を行う必要がある。
【０００５】
そこで、大量の腎不全晩期の患者には、常規の血液透析治療が行われ、この療法は、大量の看護婦、大量のより高い液とディスポーザブル医療機械が必要である。また、患者は、毎週三つの血液透析が行われる必要があり、毎度の治療には、二つの大きい針を患者の体に挿入し、この治療も多種の症候群がある。患者には、さらに、同時に、血液透析及び透析治療が行われるが、たくさんより高い液体とディスポーザブル医療機械が必要である。
【０００６】
本考案は、腎不全患者の医療費用を低下させ、患者への不便と苦痛を減少させることが可能である。
【考案の概要】
【０００７】
本考案が解決しようとする目的は、外観が小型で、携帯用で、また、自体が透析によって液の代わる血液透析装置を提供することである。
【課題を解決するための手段】
【０００８】
前述本考案の目的の技術形態は、以下の通りである。
血液透析装置は、外殻、多機能ポンプ、透析器、逆浸透膜フィルター、電源、廃液袋及びカテーテルを備え、外殻における透析器の廃液出口が、廃液管により一つの逆浸透膜フィルターの液体注入口と接続され、逆浸透膜フィルターの液体排出口が一つの廃液袋と接続され、逆浸透膜フィルターの濾液出口が、濾液管により透析器の液体排出口にあるカテーテルと接続され、透析器の液体注入口にある液体注入管が、透析器の廃液出口と逆浸透膜フィルターの液体注入口における廃液管に接続され、逆浸透膜フィルターの濾液出口と透析器の液体排出口による濾液管に接続され、前記液体注入管、前記廃液管、及び前記濾液管に対して多機能ポンプが設けられ、透析器の液体注入口にある液体注入管において血尿素濃度を測定するための電極が設けられ、この電極が、一つのマイクロコンピュータプロセッサと接続され、且つこのマイクロコンピュータプロセッサが、一つのマイクロコンピュータコントロール・バルブと接続され、このマイクロコンピュータコントロール・バルブが、逆浸透膜フィルターの液体排出口にあるカテーテルに設置されるとともに、このマイクロコンピュータプロセッサが、メモリカードに接続される。
【０００９】
前述逆浸透膜フィルターの液体注入口、液体排出口及び濾液出口にあるカテーテルの全てにおいて、流量を測定するための電極が設けられ、且つこの三つの電極が一つのマイクロコンピュータプロセッサと接続され、また、このマイクロコンピュータプロセッサが、メモリカードに接続される。
前述電源は、二つの充電式バッテリーであり、並列接続にて電気エネルギーを前述血液透析装置のために提供する。
【００１０】
前述多機能ポンプは、一つの軸流多機能ポンプであり、この多機能ポンプは、一つの軸に二つのインペラが設けられるものであり、
その中の一つのインペラは、同時に、透析器の液体注入口にあるカテーテル及び透析器の液体排出口と逆浸透膜フィルターの液体注入口とが接続される廃液管における液体を加圧させるために設けられ、他の一つのインペラは、逆浸透膜フィルターの濾液出口と透析器の液体排出口とが接続される濾液管における液体を加圧させるために設けられる。
【００１１】
前述電源が、外殻の中下部にあり、透析器と逆浸透膜フィルターが、それぞれ外殻の両側にあり、電源と並列設置される。
【００１２】
前述外殻において、二つの電源警告灯が設置される。
【００１３】
前述外殻にはバンド接続装置が設置される。
【００１４】
前述逆浸透膜フィルターの濾液出口における濾液管が、さらに、透析器透析室の中上部に接続され、濾液管と透析器の液体注入口に接続されるパイプラインにはバルブが設置され、透析器の下部に、パイプラインを介して廃液袋に接続される開口が設けられる。
【００１５】
前述逆浸透膜フィルターの濾液出口において、塩化ナトリウムと重炭酸ナトリウムを補充する装置が設置される。
【００１６】
本考案は、構成が簡単で、外見が小型で、バンドにより患者の体に固定され、携帯可能である。また、電源警告灯が電量不足を表示すると、すぐに電源を交換できる。電源が二つのバッテリーにより並列供電されるので、バッテリーを交換する場合には、透析器の正常動作に影響せず、透析器を連続的に稼働させる。透析器によってフィルターされた廃液が、さらに、逆浸透膜フィルターによりフィルターされた後、再び患者の体に戻って、透析液を替える。これが、患者の経済的負担を大きく低下させる。
【図面の簡単な説明】
【００１７】
【図１】本考案内部の構成を示す図。
【図２】本考案後部のレイアウトを示す図。
【図３】本考案内部の主要部分の接続を示す図。
【考案を実施するための形態】
【００１８】
以下に、図面と具体的な実施形態を参照しながら、本考案についてさらに説明する。
【００１９】
図１と図２に示すように、血液透析装置は、外殻１、多機能ポンプ２、透析器３、電源４、廃液袋５及びカテーテルを備え、外殻１における透析器３の廃液出口が、廃液管７により一つの逆浸透膜フィルター８の液体注入口と接続され、逆浸透膜フィルター８の液体排出口が一つの廃液袋５と接続され、逆浸透膜フィルター８の濾液出口が、濾液管１２を介してそれぞれ透析器３の液体注入口及び液体排出口にあるカテーテルと透析器３の中上部に接続され、且つ濾液管１２が、透析器３の液体注入口と透析器３の中上部に接続されるパイプラインにそれぞれバルブ１６、１７が設置される。逆浸透膜フィルター８の濾液出口における濾液管１２が、さらに、透析器透析室の中上部に接続され、濾液管１２と透析器３の中上部に接続されるパイプラインにおいてバルブ１６、１７が設置され、透析器３の下部に、パイプライン３１を介して廃液袋５と接続される開口が設けられる。透析器３の液体注入口にある液体注入管１８、透析器３の廃液出口と逆浸透膜フィルター８の液体注入口を接続する廃液管７、及び逆浸透膜フィルター８の濾液出口と透析器３の液体排出口を接続する濾液管１２に対して多機能ポンプ２が設けられる。この多機能ポンプ２は、一つの軸に二つのインペラが設けられるものであり、その中の一つのインペラは、同時に、透析器３の液体注入口にあるカテーテル、透析器３の液体排出口と逆浸透膜フィルター８の液体注入口とが接続される廃液管７における液体を加圧させるために設けられ、他の一つのインペラが、逆浸透膜フィルター８の濾液出口と透析器３の液体排出口とが接続される濾液管１２における液体を加圧させるために設けられる。透析器３の液体注入口にある液体注入管１８において血尿素濃度を測定するための電極１９が設けられる。この電極１９が、一つのマイクロコンピュータプロセッサ２０と接続される。且つ、このマイクロコンピュータプロセッサ２０が、一つのマイクロコンピュータコントロール・バルブ２１と接続され、このマイクロコンピュータコントロール・バルブ２１が、逆浸透膜フィルター８の液体排出口にあるカテーテルに設置されるとともに、このマイクロコンピュータプロセッサ２０が、メモリカード２３に接続される。前述逆浸透膜フィルター８の液体注入口、液体排出口及び濾液出口にあるカテーテル全てにおいて、流量を測定するための電極２４、２５、２６が設けられ、且つこの三つの電極が一つのマイクロコンピュータプロセッサ２７と接続される。また、このマイクロコンピュータプロセッサ２７が、メモリカード２３に接続される。前述電源４は、二つの充電式バッテリーであり、並列接続にて電気エネルギーを前述血液透析装置のために提供する。前述電源４が、外殻１の中下部にあり、透析器３と逆浸透膜フィルターが、それぞれ外殻１の両側にあり、電源４と並列設置される。前述外殻１において、二つの電源警告灯２８が設置される。前述外殻１にはバンド接続装置が設置される。前述逆浸透膜フィルター８の濾液出口において、塩化ナトリウムと重炭酸ナトリウムを補充する装置３０が設置される。
【００２０】
本考案をよく理解するために、次に、本考案の働く過程について簡単に説明する。血液は、カテーテルにより透析器３に流入し、フィルターされたきれいな血液が、体に流入し、フィルターされた廃液が、廃液管１２を介して逆浸透膜フィルター８に流入し、この逆浸透膜フィルター８が、廃液をフィルターし、フィルターされた廃液は、廃液袋５に排出され、きれいな液体が、透析液として濾液管１２を経由し患者の体に入り込む。透析器３における血液に、少量の凝集がある場合には、バルブ１６、１７により濾液の２０−３０％を制御し透析器３の液体注入口から透析器３に流入させることが可能である。透析器３の中上部から透析器透析室に流入させて透析液として使用し補充できるようにしてもよい。このときに、一部の液体がパイプライン３１を介して廃液袋５に排出される。透析器３の液体注入口にある液体注入管１８内の電極が、尿素濃度を検出するためのものである。そして、情報をマイクロコンピュータプロセッサ２７にフィードバックさせ、マイクロコンピュータプロセッサ２７が、尿素濃度によって逆浸透膜フィルター８の液体排出口にあるカテーテルでのマイクロコンピュータプロセッサ・バルブ２１のクローズを制御し、これにより、人間の体に入り込む濾液量を制御するとともに、情報をメモリカード２３に記憶させる。逆浸透膜フィルター８の液体注入口、液体排出口及び濾液出口にあるカテーテル全てにおいて、流量を測定するための電極２４、２５、２６が設けられ、三つのカテーテルでの液体流量を検出し、マイクロコンピュータプロセッサ２７により情報をメモリカード２３に記憶させる。患者は、いつも病院へ検査する必要がなく、１か月或いは二か月さらに何か月だけ病院へ行って、医者は、メモリカード２３における情報によって患者への再検査を行う。必要がある場合には、さらに濾液管１２にある装置３０により患者に塩化ナトリウムと重炭酸ナトリウムを補充してもよい。患者は、外殻１におけるバンド接続装置により、透析器３を患者の右側胸部または他の適当的な箇所にバンドで固定する。